(57)【要約】      （修正有）【課題】軽量にして、堅牢であり、耐久性に優れ、長期間の繰り返し使用が可能で、蓋体の振動を防止し、外気のコンテナ内への侵入を防止し、寸法や形状が自由に製作できる。【解決手段】アルミニウム合金製の箱形の容器本体２内にコアホルダー８を内壁に沿って配し、コアホルダーにフィルムロール７のコア９を嵌合させる。蓋体３はシール材１１を介して容器本体の開口縁に密着し、錠１２を介して容器本体に係止される。容器本体の張出部４がコンテナの強度を高めかつその下面６が使用者の手掛かり６となる。【選択図】図２
2006103771.tif 000002
【特許請求の範囲】
【請求項１】
箱形の容器本体と、容器本体の開口部を閉じる蓋体とを有し、容器本体が開口部に沿う側外方への張出部を有し、容器本体の開口部の周縁が蓋体の内面シール材に当接するアルミニウム合金製のコンテナ。
【請求項２】
蓋体の周縁が張出部の上面に対向し、張出部の下面が使用者の手掛かりとなる請求項１記載のコンテナ。
【請求項３】
容器本体の側内面がコアホルダーを支える平坦面であり、対向する側内面がフィルムロールのコアをコアホルダーに嵌合させるに適した寸法である請求項２記載のコンテナ。
【請求項４】
蓋体が蝶番と錠を用いて容器本体に保持される請求項３記載のコンテナ。
【請求項５】
張出部が形材からなる請求項４記載のコンテナ。
【発明の詳細な説明】
【技術分野】
【０００１】
本発明は、フィルムロール用のコンテナに関し、特に詳述すれば、密閉式の輸送に適したアルミニウム合金製のコンテナに関する。
【背景技術】
【０００２】
プリント基板用の銅箔、誘電体層やカラーフィルター用の転写フィルムは、円筒状のコアに巻きつけロールとしてコンテナに収容し輸送している。
この種のフィルムロールの輸送には、フィルムロールの巻きゆるみや端面ずれがないようコンテナに確実に固定する必要があり、さらに、輸送中にフィルムロールに微細な異物の付着や結露或いは湿気を帯びることを防止する必要がある。
【０００３】
このような要求を満たすためのコンテナが開発提供されているが、その一例は、ステンレス製の平らな基台の対向側部にフィルムロールのコアを受ける受け台を立設し、フィルムロールのコアの端部を受け台に支持させ押さえ部材にてコアを受け台に固定させるものである。基台にフィルムロールを固定保持した後、箱形の蓋体の側縁を基台に係止させて、フィルムコアをコンテナに収容させている。
【０００４】
【特許文献１】実公平５−１１１６９号公報
【特許文献２】特開２００３−１０４４８０号公報
【発明の開示】
【発明が解決しようとする課題】
【０００５】
前述した従来例では、平らな基台の上にフィルムロールを固定した後、箱形の蓋体を基台に係止させているが、蓋体を取り外した状態ではフィルムロールが外部に完全に露出する。
このことから、フィルムは空気中の埃や湿気に直接さらされることになり、フィルムの品質を劣化させる。さらに、基台の側部に立設した受け台は、一枚のプレートよりなり、搬送中の振動を受け易く隣り合わせのフィルムロールを接触させ、又、蓋体の内壁に接触させてフィルムロールを損傷させている。
加えて、ステンレス製のコンテナは重く取扱いが不便である。
【０００６】
それ故に、本発明は、前述した従来技術の不具合を解消させることを解決すべき課題とする。
【課題を解決するための手段】
【０００７】
本発明は、前述した課題を解決するために、基本的には箱形の容器本体の対向壁面に張出部を設け、この張出部により容器本体の強度を確保する技術手段を用いる。
この手段の採用は、蓋体を外したとき、フィルムロールの外部への露出を防止するので埃や湿気を受け難くなる。
【０００８】
本発明によれば、箱形の容器本体と、容器本体の開口部を閉じる蓋体とを有し、容器本体が開口部に沿う側外方への張出部を有し、容器本体の開口部の周縁が蓋体の内面シール材に当接するアルミニウム合金製のコンテナが提供される。
【０００９】
好ましくは、蓋体の周縁が張出部の上面に対向し、張出部の下面が使用者の手掛かりとなる。さらに、容器本体の側内面がコアホルダーを支える平坦面であり、対向する側内面がフィルムロールのコアをコアホルダーに嵌合させるに適した寸法である。
【００１０】
さらに、好ましくは、蓋体が蝶番と錠を用いて容器本体に保持される。又、張出部が形材からなる。
【発明の効果】
【００１１】
本発明のコンテナはアルミニウム合金製であることから、軽量にして、堅牢であり、耐久性に優れ、長期間の繰り返し使用が可能である。シール材と錠は蓋体の振動を防止し、外気のコンテナ内への侵入を防止する。
本発明のコンテナはアルミニウム合金板の溶接構造方式であり、製品や目的にあわせて寸法や形状が自由に製作できる。
【００１２】
アルマイト処理を施すことで、表面は質感が美しい上に滑らかで汚れが付きにくく、ささくれや屑・錆の心配もない。また静電気による粉塵の吸着もないので、異物侵入を嫌うクリーンな使用環境に最適である。
アルミニウム合金は、１００％リサイクル出来、スクラップにする場合でも高値で引き取られ、リサイクル時のエネルギーも少なく、省エネルギー・省資源で環境に優しいコンテナである。
【発明を実施するための最良の形態】
【００１３】
図１を参照する。コンテナ１は、箱形のアルミニウム合金製の容器本体２と、アルミニウム合金製の蓋体３とからなり、容器本体２の上部には側外方へ張り出した張出部４を有す。
図２に示すように、張出部４には上面５と下面６とを有し、下面６は使用者の手掛かりとなっている。容器本体２内に収められるフィルムロール７は、容器本体２の対向する内壁面に沿って挿入されるコアホルダー８の突部にコア９を嵌合させることで容器本体２内に収容される。
容器本体２の縦と横の寸法は、収容されるフィルムロール７の長さとコアホルダー８の厚みとにより決められる。容器本体２はその側端をアルミニウム合金プレートの溶接により組み立てられる。
【００１４】
蓋体３は、その側縁に下向きのフランジ部１０を有し、フランジ部１０の下部は、蓋体３を容器本体２に係止したとき張出部４の上面５に対向又は当接する。
蓋体３の平坦部内面にシール材１１を貼り付ける。シール材１１は、容器本体２の開口縁と密着し、蓋体３を介して外気が容器本体２内に入るのを防止する。また、シール材１１は、蓋体３の平坦部全内面、あるいは容器本体２の開口縁と密着する蓋体３の周縁部に貼り付けることができる。シール材１１の材質は、例えば、シリコンスポンジゴムを使用する。
【００１５】
図４を参照する。蓋体３は容器本体２に錠１２により係止される。錠１２は容器本体２側のレバー１３とフック１４と、蓋体３側の金具１５とからなり、フック１４を金具１５に係止させ、レバー１３を倒すことで係止、即ち施錠状態を得る。解錠のためにはレバー１３を戻し、フック１４を金具１５より外した状態とすればよい。蓋体３は容器本体２に錠１２とは反対側で蝶番（ヒンジ）１６を用いて止着させられている。よって、解錠し、蓋体３を開とさせても蓋体３が容器本体２から離れることはない。
【００１６】
図６に示すように、アルミニウム合金の形材を容器本体２に溶接し、張出部４’としてもよい。形材の断面形状は図示例に限定されない。
【図面の簡単な説明】
【００１７】
【図１】本発明の一例のコンテナの斜視図である。
【図２】図１の矢視II−IIより見たコンテナの断面図である。
【図３】図１の矢視III−IIIより見たコンテナの断面図である。
【図４】錠部分の拡大部分断面図である。
【図５】蝶番部分の拡大部分断面図である。
【図６】張出部の別の例を示す部分断面図である。
【符号の説明】
【００１８】
１    コンテナ
２    容器本体
３    蓋体
４，４’    張出部
５    上面
６    下面（手掛かり部）
７    フィルムロール
８    コアホルダー
９    コア
１０    フランジ部
１１    シール材
１２    錠
１６    蝶番
【図１】
2006103771.tif 000003
【図２】
2006103771.tif 000004
【図３】
2006103771.tif 000005
【図４】
2006103771.tif 000006
【図５】
2006103771.tif 000007
【図６】
2006103771.tif 000008